(57)【特許請求の範囲】
【請求項１】
左右２本の支柱と、前記左右２本の支柱の間に設けられた上下の連結材とを備える吊元支持体と、
軸状の取付部材を介して、前記上下の連結材の各々の側面に回転自在に支持されたガイドローラと、
前記ガイドローラと嵌合可能な嵌合部を有し、前記ガイドローラを前記嵌合部に嵌合することにより前記吊元支持体に移動可能に支持された扉体とを備える引戸門扉であって、
前記取付部材は、前記扉体側への突出量を調節可能に、前記吊元支持体の前記上下の連結材の各々に設けることで、前記上下の連結材の各々の側面と前記扉体との間隔が調節されるように構成され、
しかも、前記取付部材は、前記扉体側先端に前記ガイドローラを回転自在に支持する支持軸を備えると共に、反対側に螺子軸を備え、
前記螺子軸は、前記吊元支持体の上下の連結材の各々に形成された螺子孔に螺合すると共に、前記吊元支持体の上下の連結材の各々に形成された内部空間に突出しており、
さらには、前記取付部材の突出量は、前記吊元支持体を挟んで前記扉体の反対側から前記取付部材を軸回転させることで調節可能に構成されており、
前記取付部材の突出量に基づいて、前記吊元支持体に対する前記扉体の傾きや前後位置を調整できるように構成されている
ことを特徴とする引戸門扉。
【発明の詳細な説明】
【技術分野】
【０００１】
本発明は、引戸門扉に関する。
【背景技術】
【０００２】
従来、出入口等に設けられる、ノンレールタイプの引戸門扉として、例えば特許文献１に記載の引戸門扉が知られている。この特許文献１に記載の引戸門扉は、支持体（吊元支持体）と、出入口等で開閉動作を行うために前記支持体に対して横行自在に支持された扉体とを備えている。
【０００３】
前記支持体は、所定間隔を隔てて配置された２本の支柱と、これらを繋ぐ連結材とを有している。前記２本の支柱の間には、複数のガイドローラを回転自在に支持したローラベースが延設されている。前記ローラベースは、その長手方向両端部の各々において、ブラケットを介して前記各支柱に固定されている。
【０００４】
前記扉体は、前記ガイドローラと嵌合可能なガイドレール（嵌合部）を有している。前記扉体は、出入口等で前記ガイドローラによって移動可能なように、前記ガイドレールに前記複数のガイドローラを嵌め込んだ状態で、前記支持体に取り付けられている。
【０００５】
特許文献１に記載の引戸門扉において、前記ブラケットは、長孔を有し、この長孔を通るボルト及び前記支柱側のナットにより前記支柱に固定されている。そのため、前記ブラケットの固定位置を変更することにより、前記支柱に対する前記ローラベースひいては前記各ガイドローラの位置を調整できる。
【０００６】
したがって、前記引戸門扉の設置作業等を行うときには、前記支持体に取り付けられた前記複数のガイドローラの位置を変更しながら、前記扉体全体を支えて動かすことにより、例えば前記扉体に設けた錠装置と戸当り柱に設けた錠受金具との位置を調整するために、前記支持体に対する前記扉体の傾きや前後位置を調整できるようになっている。
【０００７】
しかしながら、特許文献１に記載の引戸門扉に関しては、その設置作業に際し、比較的重量のある前記扉体を支えながら前記ブラケットの固定位置の変更を行わなければならず、前記各ガイドローラの位置を調整することが非常に困難であった。そのうえ、前記複数のガイドローラついてブラケットの固定箇所で位置変更を行わなければならなかったので、前記支持体に対する前記扉体の傾きや前後位置の調整作業が困難であった。
【先行技術文献】
【特許文献】
【０００８】
【特許文献１】特開平１０−８８９４８号公報
【発明の概要】
【発明が解決しようとする課題】
【０００９】
本発明は、このような事情に鑑みてなされたものであり、吊元支持体に対する扉体の傾きや前後位置の調整作業の簡便化を図ることができる引戸門扉の提供を目的とする。
【課題を解決するための手段】
【００１０】
本発明の引戸門扉は、
左右２本の支柱と、前記左右２本の支柱の間に設けられた上下の連結材とを備える吊元支持体と、
軸状の取付部材を介して、前記上下の連結材の各々の側面に回転自在に支持されたガイドローラと、
前記ガイドローラと嵌合可能な嵌合部を有し、前記ガイドローラを前記嵌合部に嵌合することにより前記吊元支持体に移動可能に支持された扉体とを備える引戸門扉であって、
前記取付部材は、前記扉体側への突出量を調節可能に、前記吊元支持体の前記上下の連結材の各々に設けることで、前記上下の連結材の各々の側面と前記扉体との間隔が調節されるように構成され、
しかも、前記取付部材は、前記扉体側先端に前記ガイドローラを回転自在に支持する支持軸を備えると共に、反対側に螺子軸を備え、
前記螺子軸は、前記吊元支持体の上下の連結材の各々に形成された螺子孔に螺合すると共に、前記吊元支持体の上下の連結材の各々に形成された内部空間に突出しており、
さらには、前記取付部材の突出量は、前記吊元支持体を挟んで前記扉体の反対側から前記取付部材を軸回転させることで調節可能に構成されており、
前記取付部材の突出量に基づいて、前記吊元支持体に対する前記扉体の傾きや前後位置を調整できるように構成されている。
【００１１】
この構成によれば、前記引戸門扉の開閉状態を切り替えるために、前記扉体を前記ガイドローラによって移動させることができる。そのうえ、前記取付部材を用いて前記支持体本体に対する前記ガイドローラの位置を調整することが可能となり、これにより前記支持体に対する前記扉体の傾きや前後位置を調整することができる。
【００１２】
しかも、前記取付部材の突出量を調節することにより前記ガイドローラの位置を調整でき、その調整を前記ガイドローラ毎に実行可能となるので、前記支持体に対する前記扉体の傾きや前後位置の調整作業を容易に実施できる。
【００１３】
さらに、前記取付部材は、前記吊元支持体からの突出量を、前記吊元支持体を挟んで前記扉体の反対側から調節できるように構成されているので、前記取付部材の操作を障害物等に邪魔されずに行うことが可能となり、作業性を良好なものにできる。
【００１５】
この構成によれば、前記取付部材を軸回転させることで前記扉体側への突出量を調節できるため、吊元支持体に対する前記扉体の傾きや前後位置の細やかな調整が行いやすくなる。
【発明の効果】
【００１６】
本発明によれば、吊元支持体に対する扉体の傾きや前後位置の調整作業設の簡便化を図ることができる引戸門扉を提供することができる。
【図面の簡単な説明】
【００１７】
【図１】本発明の一実施形態に係る引戸門扉の正面図である。
【図２】図１の引戸門扉の平面図である。
【図３】図１の引戸門扉における吊元支持体付近の背面図である。
【図４】図１の引戸門扉における吊元支持体付近の一部断面平面図である。
【図５】図１の引戸門扉の吊元支持体による扉体の支持構造の一部を示す側面断面図である。
【図６】図１の引戸門扉の閉状態における吊元支持体の下部付近の平面断面図である。
【図７】（ａ）本発明の別の実施形態に係る引戸門扉の正面図である。（ｂ）（ａ）の引戸門扉の平面図である。
【図８】（ａ）本発明のさらに別の実施形態に係る引戸門扉の正面図である。（ｂ）（ａ）の引戸門扉の平面図である。
【図９】図８の引戸門扉の吊元支持体による扉体の支持構造の一部を示す側面断面図である。
【発明を実施するための形態】
【００１８】
本発明の実施形態について図面を参照しつつ説明する。
【００１９】
図１に、本発明の一実施形態に係る、ノンレールタイプの引戸門扉１の正面図を示す。図２に、前記引戸門扉１の平面図を示す。なお、ここでは図２における道路２側を前側とし、前記引戸門扉１に対して前記道路２の反対側を後側とする。
【００２０】
前記引戸門扉１は、例えば、図１、図２に示すように、前記道路２に面する家の出入口３に設置される。前記引戸門扉１は、吊元支持体４と、扉体５とを備えている。前記引戸門扉１は、本実施形態においては、前記出入口３を挟んで前記吊元支持体４の反対側に戸当り柱６をさらに備えている。
【００２１】
前記吊元支持体４は、前記出入口３を形成する塀７よりも家側に配置され、地面８上に略鉛直に立設されている。前記戸当り柱６は、前記塀７と共に前記出入口３を形成する塀９よりも家側に配置され、略鉛直に地面８上に立設されている。
【００２２】
前記扉体５は、車輪・キャスター等の走行部１０を備えている。そして、前記扉体５は、前記吊元支持体４に移動可能に支持され、前記出入口３を開閉すべく前記戸当り柱６に対して近接又は離間する方向（図１、図２の矢印１１が示す左右方向）に移動できるように構成されている。
【００２３】
こうして、前記引戸門扉１は、前記扉体５を前記吊元支持体４で支持しつつ前記戸当り柱６に当接させることにより前記出入口３を閉鎖する閉状態をとり（図１・図２参照）、その当接が解除されるように前記扉体５を右方に移動させることにより前記出入口３を開放する開状態をとるようになっている。
【００２４】
図３に、前記引戸門扉１における前記吊元支持体４付近の背面図を示す。図４に、前記引戸門扉１における前記吊元支持体４付近の一部断面平面図を示す。図５に、前記吊元支持体４による前記扉体５の支持構造の一部を表す側面断面図を示す。なお、図３においては、後述のカバー材２９を取り外した状態を示している。
【００２５】
図１、図２、図３、図４、図５に示すように、前記吊元支持体４には、ガイドローラ１６が設けられている。前記ガイドローラ１６は、軸状の取付部材３１を介して吊元支持体４に対して回転自在に支持されている。
【００２６】
前記扉体５は、嵌合部１８を有している。前記嵌合部１８は、前記ガイドローラ１６を嵌合可能に形成されている。前記扉体５は、前記嵌合部１８を前記ガイドローラ１６に嵌合させた状態で前記吊元支持体４に支持されている。
【００２７】
本実施形態において、前記吊元支持体４は、前記扉体５が前記吊元支持体４と前記塀７との間を移動可能なように配置されている。また、前記吊元支持体４は、支柱２１と、連結材２２とを備えている。
【００２８】
前記支柱２１は、前記地面８に略鉛直に立設された左支柱２１A及び右支柱２１Bを有し、これらが左右方向（即ち、前記扉体５の移動方向）に所定間隔を隔てて位置するように設けられている。
【００２９】
なお、前記支柱２１は、本実施形態においては、アルミニウム製の部材であって、約１３５ｍｍの前後幅、約７５ｍｍの左右幅、及び、１５１７〜１９１７ｍｍ程度の高さ（全長）を有するものである。そして、前記支柱２１の地中埋設深さが、約３００ｍｍに設定されている。
【００３０】
前記連結材２２は、上連結材２２A及び下連結材２２Bを有し、これらが上下方向に所定間隔を隔てて位置するように設けられている。前記上連結材２２A及び前記下連結材２２Bは、前記左支柱２１Aと前記右支柱２１Bとの間で略平行に左右方向に延設されて、それぞれ前記左支柱２１A及び前記右支柱２１Bに連結されている。
【００３１】
なお、本実施形態においては、複数の前記ガイドローラ１６を前記連結材２２に取り付ける構造としており、前記連結材２２のうち前記上連結材２２Aと前記下連結材２２Bとは実質的に同一のものが採用されるため、ここでは前記上連結材２２Aについて説明する。
【００３２】
図５に示すように、前記上連結材２２Aは、上板部２５と、側板部２６と、下板部２７とを有し、側面断面視コ字状に形成されている。前記上連結材２２Aは、前記側板部２６の表面が前方（前記道路２側）を向いて前記扉体５と対向するように、前記左支柱２１A及び前記右支柱２１Bに固定されている。
【００３３】
前記上連結材２２Aは、後方（前記家側）に開口する開口部２８を備えている。前記開口部２８は、前記上板部２５及び前記下板部２７に着脱可能に取り付けられた前記カバー材２９により閉塞可能とされている（図５参照）。
【００３４】
なお、前記上連結材２２Aは、本実施形態においては、アルミニウム製の部材であって、約４４０ｍｍの左右幅を有するものである。そのうえで、前記上連結材２２Aは、前記上板部２５が約８５ｍｍの前後幅を有し、前記側板部２６が約１１６ｍｍの上下幅を有し、前記開口部２８が上下方向に関して約１０７ｍｍの開口幅を有するように構成されている。
【００３５】
また、前記上連結材２２Aにおいては、前記側板部２６の前方に前記ガイドローラ１６が軸状の取付部材３１を介して取り付けられている。なお、本実施形態においては、前記ガイドローラ１６は、上下左右方向に関して前記吊元支持体４上に複数（４つ）配置されている。
【００３６】
すなわち、前記上連結材２２Aに２つの前記ガイドローラ１６が左右方向に所定間隔を隔てて設けられるとともに、前記下連結材２２Bに２つの前記ガイドローラ１６が左右方向に所定間隔を隔てて設けられている。ただし、前記ガイドローラ１６の数・位置等は適宜に設定され得る。
【００３７】
前記ガイドローラ１６は、本実施形態においては、ＵＨＭＷ（超高分子量ポリエチレン）等の樹脂製の部材であり、約５０ｍｍの直径を有するように構成されている。
【００３８】
前記取付部材３１は、前記吊元支持体４に対する前記ガイドローラ１６の位置を調整するために、前記扉体５側（前記道路２側・前側）への突出量を調節可能に、前記吊元支持体４に設けられている。そして、前記吊元支持体４からの前記取付部材３１の突出量を、前記吊元支持体４を挟んで前記扉体５の反対側（前記家側・後側）から調節可能に構成されている。
【００３９】
本実施形態において、前記取付部材３１は、前記扉体５側先端に前記ガイドローラ１６を回転自在に支持する支持軸３７を備えるとともに、反対側に螺子軸３２を備えている。そして、前記螺子軸３２が前記吊元支持体４に形成された螺子孔３８に螺合し、前記取付部材３１を軸回転させることで、前記取付部材３１の前記扉体５側への突出量を調節可能としている。
【００４０】
詳しくは、前記支持軸３７は、前記取付部材３１において、前記側板部２６よりも前記扉体５側に位置するに設けられている。前記支持軸３７は、前記螺子軸３２と同軸上に設けられ、前記螺子軸３２と一体形成されている。この支持軸３７に、前記ガイドローラ１６が回転自在に支持されている。
【００４１】
前記螺子軸３２は、前記側板部２６の挿通孔３５に前後方向（前記扉体５の移動方向に直交する方向）に移動可能に挿通されている。そして、前記螺子軸３２は、前記取付部材３１を軸回転させることにより、前後方向に螺進または螺退可能なように、前記側板部２６の後側の補強材３６に形成された前記螺子孔３８に螺合されている。
【００４２】
なお、前記吊元支持体４に形成された螺子孔３８としては、本実施形態においては前記補強材３６に形成されたれたものとしているが、これに代えて、前記側板部２６に形成されたものとすることも可能である。
【００４３】
前記螺子軸３２は、反対側端部（後端部）が前記側板部２６から後方へ突出し、前記上連結材２２Aの内部に収容されている。こうして、前記螺子軸３２の反対側端部が、前記吊元支持体４を挟んで前記扉体５の反対側から回転操作可能とされている。
【００４４】
したがって、前記螺子軸３２を螺進または螺退させることで前記側板部２６からの前記取付部材３１の突出量を調節し、前記ガイドローラ１６の前後位置、即ち前記扉体５のうち前記ガイドローラ１６との嵌合部位の前後位置を調整できる。前記扉体５においては、複数個所に配置された前記ガイドローラ１６との嵌合部位の位置調整を個別に行うことができる。
【００４５】
さらに、本実施形態においては、前記螺子軸３２の反対側端部に、前記突出量を調節するために用いられる操作部が設けられている。本実施形態においては、前記操作部は、凹状溝の係合部３４である。前記係合部３４は、前記上連結材２２Aの内部に前記開口部２８を通じて後方から挿入されたドライバ等の工具３９を係合できるように形成されている。また、前記操作部をペンチや作業者の手等で操作できる構成とすることも可能である。
【００４６】
なお、本実施形態においては、前記螺子軸３２は、ＳＵＳ（ステンレス）等の金属製の部材であり、約１６ｍｍの直径を有するように構成されている。前記係合部３４は、約２．５ｍｍの溝幅を有する凹状溝とされている。そして、前記突出量が、±7ｍｍ程度で調節可能とされている。
【００４７】
また、前記取付部材３１には、前記螺子軸３２に螺合可能なナット３３が設けられている。前記ナット３３は、前記側板部２６の前記扉体５側で前記螺子軸３２と螺合されており、前記螺子軸３２が所定の前後位置で前記側板部２６にしっかりと固定された状態を維持できるように締め付けられ得るようになっている。
【００４８】
また、本実施形態においては、図１等に示すように、前記扉体５は、矩形状の外形を有するものであり、上横框４１と、下横框４２と、吊元縦框４３と、施錠縦框４４とを備えている。前記扉体５は、前記吊元縦框４３及び前記施錠縦框４４と略平行に配置され且つ前記上横框４１と前記下横框４２との間に設けられた複数の縦桟材４５をさらに備えている。
【００４９】
前記上横框４１には、前記嵌合部１８としての上嵌合部１８Aが備えられている。前記上嵌合部１８Aは、前記吊元支持体４側（後側）に開口する凹溝部を有し、左右方向に直線状に延設されている。前記上嵌合部１８Aは、前記上連結材２２Aに取り付けられた前記ガイドローラ１６を嵌め込むことができるように形成されている。
【００５０】
こうして、前記扉体５が、前記上嵌合部１８Aを介して前記ガイドローラ１６に案内され得るようになっている。なお、前記上横框４１は、前記上嵌合部１８Aの開口縁部４９によって、前記ガイドローラ１６の回転を阻害しないように、当該ガイドローラ１６の前後方向の抜け止めを図るようになっている。
【００５１】
前記下横框４２には、前記嵌合部１８としての下嵌合部１８Ｂが備えられている。前記下嵌合部１８Ｂは、前記吊元支持体４側（後側）に開口する凹溝部を有し、左右方向に直線状に延設されている。前記下嵌合部１８Bは、前記下連結材２２Bに取り付けられた前記ガイドローラ１６を嵌め込むことができるように形成されている。
【００５２】
こうして、前記扉体５が、前記下嵌合部１８Bを介して前記ガイドローラ１６に案内され得るようになっている。なお、前記下横框４２は、前記下嵌合部１８Bの開口縁部によって、前記ガイドローラ１６の回転を阻害しないように、当該ガイドローラ１６の前後方向の抜け止めを図るようになっている。
【００５３】
以上のような構成により、前記引戸門扉１においては、その開閉状態を切り替えるために、前記扉体５を前記出入口３で左右方向に移動させることが可能となる。そのうえ、前記取付部材３１により、前記吊元支持体４に対する前記ガイドローラ１６の位置を調整することが可能となる。
【００５４】
したがって、前記各ガイドローラ１６の位置を調整することにより、前記吊元支持体４に対する前記扉体５の傾きや前後位置を調整することができる。これにより、戸当り柱６に対する前記施錠縦框４４（前記扉体５）の位置を適正なものにできる。しかも、前記ガイドローラ１６の位置の調整は、前記取付部材３１の突出量を調節することにより行うことができ、また、前記ガイドローラ１６毎に行うことがでる。そのため、前記扉体５の傾きや前後位置の調整作業を容易に実施できる。
【００５５】
さらに、前記取付部材３１が、前記吊元支持体４からの突出量を、前記吊元支持体４を挟んで前記扉体５の反対側（前記家側・後側）から調節できるように構成されているので、前記取付部材３１の操作を障害物等（例えば、前記塀７）に邪魔されずに行うことが可能となり、作業性を良好なものにできる。よって、前記扉体５の設置作業の簡便化を図ることができる。
【００５６】
また、本実施形態においては、前記取付部材３１が、前記扉体５側先端に前記ガイドローラ１６を回転自在に支持する支持軸３７を備えるとともに、反対側に螺子軸３２を備え、前記螺子軸３２が前記吊元支持体４に形成された螺子孔３８に螺合されるように構成されているため、前記取付部材３１を軸回転させることで、前記扉体５側への突出量が調節可能となる。よって、前記扉体５の傾きや前後位置の細やかな調整が行いやすくなる。
【００５７】
本実施形態においては、また、前記螺子軸３２を前記吊元支持体４側の前記螺子孔３８に対して螺進または螺退させるために回転操作する場合に、前記操作部（前記係合部３４）を利用することができる。したがって、前記螺子軸３２の回転操作を容易化して、前記吊元支持体４からの前記取付部材３１の突出量をより調節しやすいものにできる。
【００５８】
図４、図６に示すように、前記引戸門扉１は、その開閉時に前記扉体５の移動を規制するためのストッパ部材５１をさらに備えている。前記ストッパ部材５１は、前記扉体５の閉方向（左方向）への移動を規制する第１ストッパ部材５１Ａと、前記扉体５の開方向（右方向）への移動を規制する第２ストッパ部材５１Ｂとを有している。
【００５９】
詳しくは、前記第１ストッパ部材５１Ａは、前記吊元支持体４の右支柱２１Bに固定されている。前記第１ストッパ部材５１Ａは、前記下連結材２２Bに取り付けられた前記ガイドローラ１６よりも右方に配置され、前記扉体５における前記下横框４２の下嵌合部１８Bに挿入されている。
【００６０】
そして、前記第１ストッパ部材５１Ａは、前記扉体５が閉方向へ移動して所定の全閉位置に至る際、接近する前記扉体５の当接部材５２に突出部５３で当たって、前記扉体５を止めることができるようになっている。ここで、前記当接部材５２は、前記下嵌合部１８Ｂの右端側に嵌め込まれた状態で前記下横框４２に固定されている。
【００６１】
前記第２ストッパ部材５１Ｂは、前記吊元支持体４の左支柱２１Aに固定されている。前記第２ストッパ部材５１Ｂは、前記下連結材２２Bに取り付けられた前記ガイドローラ１６よりも左方に配置され、前記扉体５における前記下横框４２の下嵌合部１８Bに挿入されている。
【００６２】
そして、前記第２ストッパ部材５１Ｂは、前記扉体５が開方向へ移動して所定の全開位置に至る際、接近する前記扉体５の当接部材（図示せず）に突出部５３で当たって、前記扉体５を止めることができるようになっている。ここで、この当接部材は、前記下嵌合部１８Ｂの左端側に嵌め込まれた状態で前記下横框４２に固定されている。
【００６３】
なお、本発明に係る引戸門扉は、本実施形態においては１枚扉の前記引戸門扉１としているが、これに限定されるものではなく、例えば、図７（ａ）及び（ｂ）に示すように、前記吊元支持体４に相当する吊元支持体６１・６２を出入口６３の左右両側方に設置し、対応する１枚の扉体６４・６５を前記吊元支持体６１・６２の各々に支持させた２枚扉の引戸門扉６６としてもよい。
【００６４】
また、本発明に係る引戸門扉は、複数の扉体を連結した連結式引戸門扉としてもよい。例えば、図８（ａ）及び（ｂ）に示すように、２枚の扉体７１・７２を連結した連結式引戸門扉７３の場合には、出入口７４の一方に配置された吊元支持体７５と、前記吊元支持体７５に支持された一方の前記扉体７１の戸当り柱側部分７６とが、それぞれ、前記吊元支持体４と同様の機能を果たすものとされる。
【００６５】
図９に示すように、前記吊元支持体７５側のガイドローラ７７が前記一方の扉体７１の嵌合部７８に嵌合され、前記戸当り柱側部分７６側のガイドローラ７７が他方の前記扉体７２の嵌合部７９に嵌合され、これにより前記一方の扉体７１が前記吊元支持体７５側のガイドローラ７７によって移動可能とされ、前記他方の扉体７２が前記戸当り柱側部分７６側のガイドローラ７７によって移動可能とされる。
【００６６】
そのうえで、本実施形態のように、前記一方の扉体７１の傾きや前後位置を調整すべく、螺子軸８１及び支持軸８２を備える取付部材８３を用いて、前記吊元支持体７５側のガイドローラ７７の位置が調整可能とされる。また、前記他方の扉体７２の傾きや前後位置を調整すべく、螺子軸８５及び支持軸８６を備える取付部材８７を用いて、前記戸当り柱側部分７６側のガイドローラ７７の位置が調整可能とされる。
【符号の説明】
【００６７】
１    引戸門扉
４    吊元支持体
５    扉体
１６  ガイドローラ
１８  嵌合部
３１  取付部材
３２  螺子軸
３４  係合部
３７  支持軸
３８  螺子孔
６１  吊元支持体
６２  吊元支持体
６４  扉体
６５  扉体
７１  扉体
７２  扉体
７５  吊元支持体
７６  扉体の戸当り柱側部分（支持体）
７７  ガイドローラ
８１  螺子軸
８２  支持軸
８３  取付部材
８５  螺子軸
８６  支持軸
８７  取付部材
【図１】
0006560521.tif 000002
【図２】
0006560521.tif 000003
【図３】
0006560521.tif 000004
【図４】
0006560521.tif 000005
【図５】
0006560521.tif 000006
【図６】
0006560521.tif 000007
【図７】
0006560521.tif 000008
【図８】
0006560521.tif 000009
【図９】
0006560521.tif 000010